(57)【要約】    【課題】  通気性、開放性、採光性に優れたシャッタ装置を提供する。    【解決手段】  シャッタカーテン１１の少なくとも一部がパネル１２によって構成され、該パネルが少なくとも枠体１７、該枠体の幅方向に掛渡されて設けられた横桟１８を具備する。    【選択図】          図２
2005282027.tif 000002
【特許請求の範囲】
【請求項１】
シャッタカーテンの少なくとも一部がパネルによって構成され、該パネルが少なくとも枠体、該枠体の幅方向に掛渡されて設けられた横桟を具備することを特徴とするシャッタ装置。
【請求項２】
前記横桟は回転可能であり、パネルの開口率を変更可能である請求項１のシャッタ装置。
【請求項３】
前記シャッタカーテンの所要箇所のパネルに補強部材が取付けられ、前記横桟の高さは前記補強部材の高さより低くなっている請求項１のシャッタ装置。
【発明の詳細な説明】
【技術分野】
【０００１】
本発明は、複数のパネルを屈曲自在に連結したシャッタカーテンにより、建屋、構築物等の出入口等の開口部を開閉するシャッタ装置に関するものである。
【背景技術】
【０００２】
建屋、構築物等の出入口等の開口部を開閉するシャッタ装置として、パネルシャッタがあり、パネルシャッタの１つとして例えばオーバヘッドドアがあり、該オーバヘッドドアは複数のパネルを屈曲自在に連結してシャッタカーテンを構成し、該シャッタカーテンをガイドレールに沿って昇降させることで開口部を開閉している。
【０００３】
図８によりオーバヘッドドアについて概略を説明する。
【０００４】
建屋、構築物等の開口部の両側柱に沿って、垂直ガイドレール１が設けられ、天井に沿って水平ガイドレール２が設けられ、前記垂直ガイドレール１と前記水平ガイドレール２とは湾曲レール３によって連結されている。前記垂直ガイドレール１の上方には水平な巻取シャフト４を具備する開閉装置５が設けられている。
【０００５】
前記垂直ガイドレール１、前記湾曲レール３、前記水平ガイドレール２に沿ってシャッタカーテン６がスライド可能となっており、該シャッタカーテン６は所要数のパネル７が屈曲自在に連結されて構成されている。前記巻取シャフト４の両端部にはドラム８が設けられ、該ドラム８に巻付けられたワイヤ（図示せず）が前記シャッタカーテン６の下端に連結されている。
【０００６】
開口部が開かれる場合は、前記開閉装置５により前記巻取シャフト４を介し前記ドラム８が回転されることで、前記ワイヤ（図示せず）が巻取られ、前記シャッタカーテン６が前記垂直ガイドレール１に沿って引上げられ、更に前記水平ガイドレール２に格納される様になっている。
【０００７】
又、開口部が閉じられる場合は、前記開閉装置５により前記巻取シャフト４を介して前記ドラム８が逆方向に回転され、前記ワイヤ（図示せず）が繰出されて前記シャッタカーテン６が降下され、開口部が閉じられる。
【０００８】
従来、パネルシャッタで、採光、通気性を得ようとする場合、前記パネル７の一部に採光用、通気用の窓を設けていた。
【０００９】
然し乍ら、駐車場等で通気が排煙を目的としている場合等では、前記パネル７の一部に通気孔を設けることでは充分に対応できない虞れがある。
【００１０】
尚、パネルの一部に窓を有するパネルシャッタとしては、特許文献１に示すものがある。
【００１１】
又、シャッタカーテンの一部又は全部を、パイプを所要間隔で連結して構成したグリルシャッタがあるが、シャッタカーテンのパネルシャッタ、オーバヘッドドアに比べて開閉速度が遅く、駐車場の出入口等の様に、頻繁に開閉が要求され、而も迅速な開閉が要求される場合は、グリルシャッタは不向きである。
【００１２】
【特許文献１】特開２００１−３６５７号公報
【発明の開示】
【発明が解決しようとする課題】
【００１３】
本発明は斯かる実情に鑑み、通気性、開放性、採光性に優れたシャッタ装置を提供しようとするものである。
【課題を解決するための手段】
【００１４】
本発明は、シャッタカーテンの少なくとも一部がパネルによって構成され、該パネルが少なくとも枠体、該枠体の幅方向に掛渡されて設けられた横桟を具備するシャッタ装置に係り、又前記横桟は回転可能であり、パネルの開口率を変更可能であるシャッタ装置に係り、更に又前記シャッタカーテンの所要箇所のパネルに補強部材が取付けられ、前記横桟の高さは前記補強部材の高さより低くなっているシャッタ装置に係るものである。
【発明の効果】
【００１５】
本発明によれば、シャッタカーテンの少なくとも一部がパネルによって構成され、該パネルが少なくとも枠体、該枠体の幅方向に掛渡されて設けられた横桟を具備するので、通気性、開放性、採光性に優れる。
【００１６】
又本発明によれば、前記横桟は回転可能であり、パネルの開口率を変更可能であるので、状況に応じた開口率とすることができる等の優れた効果を発揮する。
【発明を実施するための最良の形態】
【００１７】
以下、図面を参照しつつ本発明を実施する為の最良の形態を説明する。
【００１８】
尚、本実施の形態に於いて、シャッタカーテンのガイド、開閉駆動部等について、図８で説明したのと同様であるので説明を省略する。
【００１９】
図１、図２は本発明の実施の形態に係るシャッタカーテンの正面図、背面図を示している。
【００２０】
シャッタカーテン１１は所要数のパネル１２を軸、或は蝶番等により屈曲自在に連結したものである。該パネル１２について、図３、図４を参照して説明する。
【００２１】
幅全長に掛渡る上框１３、下框１４、該上框１３、下框１４の幅端部に掛渡る横框１５，１５により横長短冊状の矩形枠が形成され、該枠体の幅方向の所要箇所には縦桟１６が設けられ、該縦桟１６は上端下端が螺子等所要の固着手段１９で前記上框１３、下框１４に固着されている。
【００２２】
前記上框１３、前記下框１４、前記横框１５，１５、前記縦桟１６によって枠体１７が構成され、該枠体１７は、従来のパネル、例えば、図８で示されるパネル７を構成する枠体と共通又は同等の構造となっている。又、前記上框１３、下框１４、横框１５、縦桟１６は、従来のパネル、例えば、図８で示されるパネル７との共通部品となっている。
【００２３】
前記枠体１７の前記横框１５と前記縦桟１６間に、又該縦桟１６と縦桟１６間に横桟１８を掛渡して設け、該横桟１８の両端部を螺子、リベット等所要の固着手段２０で前記横框１５、前記縦桟１６に固着し、全体としては前記横桟１８が前記パネル１２の幅方向に連続して設けられたと同等になっている。
【００２４】
前記横桟１８は、前記枠体１７の補強の為、或は防犯上の観点から設けられ、前記横桟１８は前記上框１３と前記下框１４との間に適宜数（図示では２）設けられる。
【００２５】
前記横桟１８は所要の強度を有する部材であればよく、例えば図４に示される横桟１８の様に、Ｔ字状断面を有するアルミニウムの押出し材、引抜き材が用いられる。
【００２６】
図５は第２の実施の形態を示しており、横桟１８として使用される部材の他の例を示している。第２の実施の形態に使用される横桟１８の断面形状は、Ｃ字状をした型材である。
【００２７】
尚、横桟１８の断面形状としては、適宜な剛性、強度を有していれば任意の断面形状のものが使用できる。又、前記横桟１８としてはパネル１２の幅方向に連続した１本としてもよく、パネルシャッタの設置条件によって長さ、分割数は適宜選択される。
【００２８】
本発明によれば、前記パネル１２が、上框１３、下框１４、横框１５、縦桟１６、横桟１８の棒状部材のみによって構成されるので、パネルの開口率が大きく、採光性、通気性が優れており、駐車場等排気ガスの換気等が必要な空間の開閉装置として有用である。
【００２９】
又、本発明では、枠体の構造が従来のパネルと同等の構造であるので、既存のパネルシャッタに適用が可能である。
【００３０】
図６、図７は第３の実施の形態を示しており、前記横桟１８を前記縦桟１６に傾斜可能に設けたものである。図６、図７中、図３〜図５中で示したものと同等のものには同符号を付してある。
【００３１】
上側の枠体１７と下側の枠体１７とは蝶番２２により屈曲自在に連結されている。又、前記枠体１７の幅端部の横框１５にはガイドレールに嵌合するローラがローラ軸（いずれも図示せず）を介して取付けられている（図８参照）。又、所要位置の前記枠体１７には補強部材２５が取付けられ、風圧等により横荷重が作用した場合に対する補強がされている。尚、該補強部材２５が設けられた場合、前記枠体１７のみで充分な強度を有する場合は、前記横桟１８に特に強度は必要ないので種々の態様が考えられる。
【００３２】
該横桟１８は前記蝶番２２、前記ローラ等と干渉しない位置に設けられ、或は干渉しない形状となっている。前記横桟１８は両端部が軸部となっており、該軸部には横桟支持具２３が回転自在に設けられており、前記横桟１８と前記横桟支持具２３とは一体化されている。
【００３３】
前記横桟１８は前記横桟支持具２３が螺子等の固着具２４によって前記縦桟１６，１６或は前記横框１５と縦桟１６間に掛渡り取付けられる様になっており、前記横桟１８が取付けられた状態では該横桟１８が軸部を中心に回転可能となっており、前記横桟１８を所要の角度で傾斜させることができる。又、該横桟１８の軸部と前記横桟支持具２３とは所要の摩擦力があり、傾斜した状態が保持される様になっている。
【００３４】
尚、前記横桟１８が直立（前記縦桟１６に対して垂直）の状態で、前記横桟１８の先端は前記補強部材２５の先端より低くなっており、シャッタカーテンが開閉される場合に他の構造部材と干渉しない様になっている。
【００３５】
上記した第３の実施の形態に於いて、前記横桟１８を傾斜させることで、パネル１２の開口率を変更することができ、例えば多量の排煙をする場合は前記横桟１８を直立とする。或は、遮光効果を大きくしたい場合は、太陽光を多く遮る傾きとする等前記横桟１８の傾斜で調整することができる。
【００３６】
又、横桟１８のその他の形態としては、断面形状を種々変更することができ、例えば断面形状が傾斜したがらり板状とし、開口率を減少することなく、遮光効果を増大させることも可能である。
【００３７】
尚、従来のパネル７では、枠体の開口部に平板材が嵌込まれているが、平板材を残したまま、横桟１８を取付けることも可能である。
【００３８】
又、前記平板材を網材料、パンチングメタル、或は透明アクリル板等とし、更に前記横桟１８を取付けてもよい。
【００３９】
尚、本発明はシャッタカーテンの一部がパネルによって構成されるシャッタ装置にも実施可能であることは言う迄もない。
【図面の簡単な説明】
【００４０】
【図１】本発明の実施の形態を示す正面図である。
【図２】本発明の実施の形態を示す背面図である。
【図３】本発明の実施の形態に係るパネルの端部拡大図である。
【図４】図３のＡ−Ａ矢視図である。
【図５】本発明の第２の実施の形態を示す断面図である。
【図６】本発明の第３の実施の形態に係るパネルの端部拡大図である。
【図７】本発明の第３の実施の形態を示す断面図である。
【図８】従来例を示す斜視図である。
【符号の説明】
【００４１】
１１            シャッタカーテン
１２            パネル
１３            上框
１４            下框
１５            横框
１６            縦桟
１７            枠体
１８            横桟
２３            横桟支持具
【図１】
2005282027.tif 000003
【図２】
2005282027.tif 000004
【図３】
2005282027.tif 000005
【図４】
2005282027.tif 000006
【図５】
2005282027.tif 000007
【図６】
2005282027.tif 000008
【図７】
2005282027.tif 000009
【図８】
2005282027.tif 000010